(57)【要約】【課題】茸栽培用瓶への取り付け作業の負荷が軽微であり、茸栽培用瓶への装着時等において茸栽培用瓶への装着状態を修正する作業が不要であり、茸の収穫量を増やすことが可能な茸栽培用子実体生育ガイド体を提供する。【解決手段】シート体１２により、一方の開口端部１４ａと他方の開口端部１４ｂの径寸法がそれぞれ異なる筒体１４に形成され、筒体１４の小径側開口端部１４ａを茸栽培用瓶２０に装着して茸栽培用瓶２０の瓶口上方を囲むことで子実体の生育形状を規制する茸栽培用子実体生育ガイド体１０であって、小径側開口部１４ａの径寸法が、茸栽培用瓶２０の胴部２２外径寸法と同一寸法に形成されていることを特徴とする。【選択図】図１
2014113143.tif 000002
【特許請求の範囲】
【請求項１】
シート体により、一方の開口端部と他方の開口端部の径寸法がそれぞれ異なる筒体に形成され、前記筒体の小径側開口端部を茸栽培用瓶に装着して前記茸栽培用瓶の瓶口上方を囲むことで子実体の生育形状を規制する茸栽培用子実体生育ガイド体であって、
前記小径側開口端部における開口部の径寸法が、前記茸栽培用瓶の胴部外径寸法と同一寸法に形成されていることを特徴とする茸栽培用子実体生育ガイド体。
【請求項２】
前記一方の開口端部又は他方の開口端部には、両者を識別するための目印が設けられていることを特徴とする請求項１記載の茸栽培用子実体生育ガイド体。
【請求項３】
前記目印は、いずれか一方の開口端部から突出する舌片により形成されていることを特徴とする請求項２記載の茸栽培用子実体生育ガイド体。
【請求項４】
前記目印は、いずれか一方の開口端部に形成された切欠部であることを特徴とする請求項２記載の茸栽培用子実体生育ガイド体。
【請求項５】
前記筒体は前記シート体の一方の対向端縁どうしを係止することにより形成されていることを特徴とする請求項１〜４のうちのいずれか一項に記載の栽培用子実体生育ガイド体。
【請求項６】
前記シート体の一方の対向端縁には少なくとも一方の端縁に係止具が取り付けられていることを特徴とする請求項５記載の栽培用子実体生育ガイド体。
【請求項７】
前記係止具は、面ファスナーであることを特徴とする請求項６記載の栽培用子実体生育ガイド体。
【発明の詳細な説明】
【技術分野】
【０００１】
本発明は茸の人工栽培において、茸の子実体の生育期に栽培容器に取り付けて子実体の生育形態を所望の形態にするためのガイド体として用いる茸栽培用子実体生育ガイド体に関する。
【背景技術】
【０００２】
エノキ茸等の茸は、子実体の生育に伴って茸の下部から上部に向けて緩やかに拡径するいわゆる逆円錐台状で収穫されるのが好ましいとされている。このため、子実体の生育期においては、子実体（茸）が好ましい形状に生育するように、茸栽培用瓶の首部や肩部に逆円錐台状の筒体に形成された茸栽培用子実体生育ガイド体を装着している。
近年では、繰り返しの利用が可能であってしかも安価な茸栽培用子実体生育ガイド体として、合成樹脂製のシート材により形成された茸栽培用子実体生育ガイド体が好適に用いられている。このような茸栽培用子実体生育ガイド体としては、例えば特許文献１や特許文献２において提案されているようなものが知られている。
【先行技術文献】
【特許文献】
【０００３】
【特許文献１】公開実用昭和６２−１４２２３７号公報
【特許文献２】特開２００９−１９５２２５号公報
【発明の概要】
【発明が解決しようとする課題】
【０００４】
従来提案されている茸栽培用子実体生育ガイド体は、茸栽培用瓶の首部に装着されるタイプと、茸栽培用瓶の肩部に載置されるタイプのものが知られている。ここで、いわゆる広口瓶タイプの茸栽培用瓶２０について図９を参照しながら各部名称を説明する。
茸栽培用瓶２０は、有底の円筒体に形成された胴部２２と、胴部２２の上部において胴部２２よりも小径寸法の開口部に形成された瓶口２４と、胴部２２と瓶口２４との間に設けられた肩部２６および首部２８とを有している。胴部２２の外径寸法は胴部２２の高さ方向において一定に形成され、茸栽培用瓶２０の設置面に対して直立している。胴部２２の上部には肩部２６が形成されており、肩部２６は瓶口２４側に接近するに伴って徐々に縮径する湾曲形状（いわゆるアール状）に形成されている。肩部２６と瓶口２４との間には首部２８が形成されており、首部２８は高さ方向に一定の外径寸法に形成され茸栽培用瓶２０の設置面に対して直立している。首部２８の上端部は開口部である瓶口２４に形成されている。図９に示す茸栽培用瓶２０は、首部２８と瓶口２４の外径寸法が等しく形成されているが、瓶口２４の外径寸法が首部２８の外径寸法よりも大径に形成されていてもよい。
【０００５】
茸栽培用瓶２０の首部２８に装着される茸栽培用子実体生育ガイド体については、茸栽培用瓶２０の首部２８に対して茸栽培用子実体生育ガイド体となるシート体を巻き付けた後、係止手段を用いてシート体を茸栽培用瓶２０の首部２８に固定して用いられている。したがって作業者は、培地等が充てんされた茸栽培用瓶２０を持ち上げて、シート体を首部２８に巻き付けるようにして装着する作業を行わなければならない。培地が充てんされた状態の茸栽培用瓶２０の質量は１キログラム以上あるため、茸栽培用子実体生育ガイド体を茸栽培用瓶２０に装着する作業を行う作業者は腱鞘炎等になってしまうことが多く、労働環境が悪いという課題がある。
【０００６】
また、茸栽培用瓶２０の首部２８に装着される茸栽培用子実体生育ガイド体は、茸栽培用瓶２０の首部２８から上方に向けて徐々に拡径してはいるものの、茸栽培用子実体生育ガイド体の瓶口２４付近における径寸法が瓶口２４の外径寸法と略同径寸法になるため、茸の根元部分における生育用空間に制約が生じ、茸の収穫量が少なくなってしまうという課題がある。
【０００７】
これに対して図７に示すような茸栽培用瓶１２０の肩部１２６に載置されるタイプの茸栽培用子実体生育ガイド体１１０については、茸栽培用瓶１２０を持ち上げることなく、茸栽培用瓶１２０への茸栽培用子実体生育ガイド体１１０の装着が可能であるため、作業者の作業負荷を軽減させることができる。また、茸栽培用子実体生育ガイド体１１０と瓶口１２４(首部１２８)との間に隙間１３０が形成されることになるから、茸の根元部分における子実体の生育用空間が十分確保され、茸の収穫量を増やすことができる。このように、肩部１２６に載置するタイプの茸栽培用子実体生育ガイド体１１０は、首部１２８に装着するタイプに比較して使い勝手が良好であるといえる。
【０００８】
しかしながら、このような肩部１２６に載置するタイプの茸栽培用子実体生育ガイド体１１０は、茸栽培用瓶１２０の肩部１２６に単に載置された状態である。このため、茸栽培用瓶１２０に対して茸栽培用子実体生育ガイド体１１０が図７に示すように傾いた状態になって載置されてしまうことが多いといった課題がある。また、子実体１５０がある程度生育すると、図８に示すように子実体１５０が茸栽培用子実体生育ガイド体１１０を茸栽培用瓶１２０の肩部１２６から持ち上げてしまうという不具合もある。
【０００９】
このように茸栽培用子実体生育ガイド体１１０が茸栽培用瓶１２０に対して直立した状態で装着されていない状態や、茸栽培用子実体生育ガイド体１１０が茸栽培用瓶１２０の肩部１２６から持ち上がった状態になってしまうと、子実体１５０は生育する際の形態が適切にガイドされていない状態になる。このような状態で茸の生育が進んでしまうと、収穫時における茸の形態が所望の形態にならず、茸の商品価値がなくなってしまうことになる。
【００１０】
したがって商品価値を有する茸を収穫するためには、茸の生産管理者が、茸栽培用瓶１２０への茸栽培用子実体生育ガイド体１１０の装着完了時点と、子実体１５０の生育がある程度進んだ時点のそれぞれにおいて、茸栽培用瓶１２０に対する茸栽培用子実体生育ガイド体１１０の設置状態（装着状態）の調整を行わなければならないという課題がある。
一般に茸栽培は、数百本から数千本またはそれ以上の茸栽培用瓶１２０を同時にまとめて処理されるため、たとえ個別の作業が簡単であったとしても、作業の数量が多いため作業者や生産管理者に対する作業負担は重く、茸栽培の効率化を阻害する大きな原因となっている。
【００１１】
そこで本発明は、茸栽培用瓶への取り付け作業の負荷が軽微であり、茸栽培用瓶への装着時や子実体の生育工程中における茸栽培用瓶への茸栽培用子実体生育ガイド体の装着状態を修正する作業が不要であって、茸の収穫量を増やすことが可能な茸栽培用子実体生育ガイド体の提供を目的としている。
【課題を解決するための手段】
【００１２】
本発明は、シート体により、一方の開口端部と他方の開口端部の径寸法がそれぞれ異なる筒体に形成され、前記筒体の小径側開口端部を茸栽培用瓶に装着して前記茸栽培用瓶の瓶口上方を囲むことで子実体の生育形状を規制する茸栽培用子実体生育ガイド体であって、前記小径側開口部の径寸法が、前記茸栽培用瓶の胴部外径寸法と同一寸法に形成されていることを特徴とする茸栽培用子実体生育ガイド体である。これにより、茸栽培用瓶への取り付け作業の負荷を軽微にすることができ、茸栽培用瓶への装着時や子実体の生育工程中における茸栽培用瓶への茸栽培用子実体生育ガイド体の装着状態を修正する必要がなく、しかも茸の収穫量を増やすことが可能になる。
【００１３】
また、前記一方の開口端部又は他方の開口端部には、両者を識別するための目印が設けられていることが好ましく、この目印は、いずれか一方の開口端部から突出する舌片、または、いずれか一方の開口端部に形成された切欠部により形成することができる。このような目印により、茸栽培用子実体生育ガイド体の上下の識別を容易に行うことができ、茸の栽培用瓶に茸栽培用子実体生育ガイド体の上下を逆にして装着してしまうおそれがなく、常に適切な状態で茸栽培用子実体生育ガイド体を栽培用瓶に装着することができる。
【００１４】
また、前記筒体は前記シート体の一方の対向端縁どうしを係止することにより形成されていることが好ましい。これにより、茸栽培用子実体生育ガイド体の製造コストを低減させることができる。
【００１５】
また前記シート体の一方の対向端縁には少なくとも一方の端縁に係止具が取り付けられていることが好ましく、特に係止具として面ファスナーが好適である。これにより、茸栽培用子実体生育ガイド体を必要に応じて筒体の状態から平坦な状態に戻すことができるため、茸栽培用子実体生育ガイド体の洗浄処理がしやすくなると共に茸栽培用子実体生育ガイド体の保管スペースの削減にも好都合である。
【発明の効果】
【００１６】
本発明にかかる茸栽培用子実体生育ガイド体を採用することにより、茸栽培用瓶への取り付け作業時における作業者への負荷を軽微にすることができる。
また、茸栽培用瓶への茸栽培用子実体生育ガイド体の装着時や子実体の育成工程中における茸栽培用瓶への茸栽培用子実体生育ガイド体の装着状態を修正する必要がないため、茸の生産効率を大幅に向上させることができる。
さらには、茸の収穫量を増やすことも可能になるため、同じ茸栽培用瓶用いた生産であっても、従来の茸に対して商品価値の高い茸を生産することができる。
【図面の簡単な説明】
【００１７】
【図１】本実施形態における茸栽培用子実体生育ガイド体を茸栽培用瓶に装着した状態示す正面図である。
【図２】本実施形態における茸栽培用子実体生育ガイド体を茸栽培用瓶に装着した状態示す斜視図である。
【図３】本実施形態における茸栽培用子実体生育ガイド体を茸栽培用瓶に装着した状態示す平面図である。
【図４】他の実施形態における茸栽培用子実体生育ガイド体を茸栽培用瓶に装着した状態示す正面図である。
【図５】他の実施形態における茸栽培用子実体生育ガイド体を茸栽培用瓶に装着した状態示す正面図である。
【図６】他の実施形態における茸栽培用子実体生育ガイド体を茸栽培用瓶に装着した状態示す斜視図である。
【図７】従来の茸栽培用子実体生育ガイド体が茸栽培用瓶の肩部において斜めに位置ずれした状態を示す斜視図である。
【図８】従来の茸栽培用子実体生育ガイド体が子実体の生育により茸栽培用瓶から持ち上げられてしまった状態を示す正面図である。
【図９】茸栽培用瓶の各部名称を示す茸栽培用瓶の正面図である。
【発明を実施するための形態】
【００１８】
以下、本発明にかかる茸栽培用子実体生育ガイド体の実施形態について、図面に基づいて説明する。
茸栽培用子実体生育ガイド体１０は、図１および図２に示すように、ポリプロピレンフィルム等からなる合成樹脂製のシート体１２により形成されている。筒体１４を形成する前の合成樹脂製のシート体１２は、円弧状をなす帯状体に形成され（図示せず）ていて、図２に示すようにシート体１２の円弧方向における対向端縁どうしを所要幅で重複させた状態で溶着することにより筒体１４を形成している。
図２における符号１６は溶着部である。このようにして形成された筒体１４は、一方の開口端部１４ａの径寸法が他方の開口端部１４ｂの径寸法よりも小径寸法に形成された、いわゆる逆円錐台状に形成されている。
【００１９】
筒体１４の小径寸法側である一方の開口端部１４ａの径寸法は、茸栽培用瓶２０の胴部２２の外径寸法と同一径寸法に形成されている。すなわち、茸栽培用子実体生育ガイド体１０は、筒体１４の一方の開口端部１４ａを茸栽培用瓶２０の胴部２２に嵌合させることにより茸栽培用瓶２０に装着することができる。このような装着方法によれば、茸栽培用瓶を持ち上げる必要がなく、作業者の作業負荷を大幅に軽減させることができる。
【００２０】
このように本実施形態にかかる茸栽培用子実体生育ガイド体１０は、茸栽培用瓶２０の胴部２２に外嵌した状態で装着されているため、茸栽培用瓶２０への茸栽培用子実体生育ガイド体１０の装着後における装着状態（傾き）の修正作業が不要になる。同様の理由により、子実体の生育が進んだ際において、子実体が茸栽培用子実体生育ガイド体１０を茸栽培用瓶２０から持ち上げてしまうことがないため、子実体の生育工程中における茸栽培用子実体生育ガイド体１０の茸栽培用瓶２０に対する載置状態（装着状態）の修正作業も不要になる。
【００２１】
また、茸栽培用子実体生育ガイド体１０と茸栽培用瓶２０の瓶口２４の側方部分（首部２８の外周面）との間には、図３に示すように十分な隙間３０が形成されることになる。この隙間３０により、茸栽培用瓶２０の瓶口２４部分である子実体の根元部分における生育用空間が十分確保されることになるから、従来の茸栽培用子実体生育ガイド体１０を用いた場合に対して茸の収穫量を大幅に増加させることができる。
【００２２】
以上に、茸栽培用子実体生育ガイド体１０について実施形態に基づいて説明したが、本願発明における技術的範囲は以上の実施形態に限定されるものではない。たとえば図４に示すように、一方の開口端部１４ａと他方の開口端部１４ｂとを確実に識別するための目印として、他方の開口端部１４ｂに舌片１４ｃを設けてもよい。このように他方の開口端部１４ｂから茸栽培用子実体生育ガイド体１０の上方に突出する舌片１４ｃを設けることで、茸栽培用瓶２０への茸栽培用子実体生育ガイド体１０の装着をする際において作業者が茸栽培用子実体生育ガイド体１０の上下の向きを間違えることがない。これに加えて、舌片１４ｃが茸栽培用子実体生育ガイド体１０のつまみ部分として用いることができるから、茸栽培用瓶２０への茸栽培用子実体生育ガイド体１０の装着をする際の作業効率が大幅に向上するといった利点がある。舌片１４ｃの具体的な形態は任意の形態を選択することができる。
【００２３】
また、一方の開口端部１４ａと他方の開口端部１４ｂとを確実に識別するための目印の変形例としては、図５に示すように、他方の開口端部１４ｂに切欠部１４ｄを設けることによっても実現可能である。この形態によれば、図４に示す形態に比較して、茸栽培用子実体生育ガイド体１０の製造時におけるシート体１２の無駄を削減することができる点で好都合である。切欠部１４ｄの具体的な形態は、図５に示すような逆三角形状に限定されるものではなく、任意の形態を採用することができる。
【００２４】
なお、図４および図５においては、一方の開口端部１４ａと他方の開口端部１４ｂとを確実に識別するための目印である舌片１４ｃと切欠部１４ｄを他方の開口端部１４ｂ側に配設した形態例を示しているが、一方の開口端部１４ａ側に目印を設けることもできる。
また、一方の開口端部１４ａと他方の開口端部１４ｂとを確実に識別するための目印としては、具体例として図示した舌片１４ｃや切欠部１４ｄの他に、印刷や押圧痕等による目印の形態を採用することも可能である。
【００２５】
また、本実施形態においては、茸栽培用子実体生育ガイド体１０には筒体１４（シート体１２）に通気孔が形成されていないが、図６に示すように筒体１４の内側空間と外部とを連通させる通気孔１７をシート体１２に適宜配設することもできる。
【００２６】
また、同じく図６に示すように、シート体１２の円弧方向における対向端縁どうしが重複する部分に係止具１８をそれぞれ配設し、茸栽培用子実体生育ガイド体１０を平坦な状態のシート体１２と高さ方向に積み重ね可能な筒体１４の状態との切り替えすることができる構成を採用してもよい。係止具１８の一例として一対の面ファスナーを採用すれば、茸栽培用子実体生育ガイド体１０の状態は、円弧状の帯状体をなす平面的な状態と筒体１４をなす立体的な状態との切り替えをきわめて簡単に行うことができ、使用後における茸栽培用子実体生育ガイド体１０の洗浄処理や収納等をする際において好都合である。
【００２７】
さらには、以上に説明した実施形態を適宜組み合わせた形態を採用することもできる。
【符号の説明】
【００２８】
１０：茸栽培用子実体生育ガイド体
１２：シート体  １４：筒体  １４ａ：一方の開口端部  １４ｂ：他方の開口端部
１４ｃ：舌片  １４ｄ：切欠部
１６：溶着部  １７：通気孔  １８：係止具
２０：茸栽培用瓶  ２２：胴部  ２４：瓶口  ２６:肩部  ２８：首部
３０  隙間
１１０：茸栽培用子実体生育ガイド体
１２０：茸栽培用瓶  １２２：胴部  １２４：瓶口  １２６:肩部  １２８：首部
１３０：隙間  １５０：子実体
【図１】
2014113143.tif 000003
【図２】
2014113143.tif 000004
【図３】
2014113143.tif 000005
【図４】
2014113143.tif 000006
【図５】
2014113143.tif 000007
【図６】
2014113143.tif 000008
【図７】
2014113143.tif 000009
【図９】
2014113143.tif 000010
【図８】
2014113143.tif 000011